(57)【要約】      （修正有）【課題】ヒンジに集中する力を効果的に分散させることにより、耐久性に優れたヒンジキャップを提供する。【解決手段】ベース110は、天面壁113の隅部を円弧形に切り欠いて注出口110a側に凹んだ凹面115を形成する段差114を有する。この段差に設けた貫通孔116aに係合固定されるフック122とヒンジ121との相互間には係合基部１が設けられている。係合基部１は、段差の上端112eに摺動可能に当接する底面３及び凹面の円弧形に合わさり蓋体120に回転を引き起こす力Ｆ1に追随して凹面を摺動する凸面４よりなる摺動面と、ヒンジ折り曲げ線Ｌを沿って延在し蓋体に捩じれを引き起こす力Ｆ2に追随して変形する横溝５とを備える基部本体２を有し、更に、係合基部１は、基部本体２をベースに弾性支持し蓋体にその揺動範囲を超える揺動を引き起こす力Ｆ3及び／又は蓋体に回転を引き起こす力Ｆ1に追随して変形する脚部６を有する。【選択図】図２
2006096364.tif 000002
【特許請求の範囲】
【請求項１】
天面壁に注出口を有して容器の口部に取り付けられるベースと、このベースの天面壁に合わさってその注出口を閉じる蓋体と、前記ベースに繋がる連結端と前記蓋体に繋がる連結端とを有し前記蓋体を揺動可能に保持するヒンジとを備えたキャップであって、
前記ヒンジの連結端の少なくとも一方と前記ヒンジとの相互間に、前記蓋体に回転を引き起こす力、前記蓋体に捩じれを引き起こす力及び前記蓋体にその揺動範囲を超える揺動を引き起こす力の少なくとも１つの力に追随して微動し前記ヒンジに作用する力を吸収・緩和する係合基部を設けたことを特徴とするヒンジキャップ。
【請求項２】
前記係合基部は、前記蓋体に前記ベースに対する回転を引き起こす力に追随して前記ベース又は前記上蓋を僅かに摺動する摺動面を有することを特徴とする請求項１に記載のヒンジキャップ。
【請求項３】
前記ベース及び前記蓋体の合せ面の少なくとも一方に、この合せ面の隅部を円弧形に切り欠いて注出口側に凹んだ凹面を形成する段差を設け、
前記摺動面は、前記段差の上端に摺動可能に当接する底面と、前記凹面の円弧形に合わさり前記蓋体に回転を引き起こす力に追随して当該凹面を僅かに摺動する凸面よりなることを特徴とする請求項２に記載のヒンジキャップ。
【請求項４】
前記係合基部は、該ヒンジの折り曲げ線に沿って延在し前記蓋体に捩じれを引き起こす力に追随して僅かに変形する横溝を有することを特徴とする請求項１乃至３のいずれか一項に記載のヒンジキャップ。
【請求項５】
前記係合基部は、前記ベース又は前記蓋体に載せ置かれる基部本体と、この基部本体を前記ベース又は前記蓋体に弾性支持し該蓋体にその揺動範囲を超える揺動を引き起こす力及び／又は蓋体に回転を引き起こす力に追随して僅かに変形する脚部と有することを特徴とする請求項１乃至４のいずれか一項に記載のヒンジキャップ。
【発明の詳細な説明】
【技術分野】
【０００１】
本発明は、容器と蓋体とを分離することなく容器に通じる注出口を開閉可能なヒンジキャップに関するものである。
【背景技術】
【０００２】
ヒンジキャップは、容器の口部に取り付けたベースに対してヒンジで繋いだ蓋体を揺動させることにより、容器に通じる注出口の開閉を容易ならしめるものであり、シャンプー、リンス、台所洗剤等の日用品から食品、化粧品、薬品その他各種用途に使用されている。このため、ヒンジキャップには様々な種類のものが提案されており、蓋体の揺動に付勢力を与えるべくヒンジと弾性片とを併用した所謂ミラーヒンジキャップや、キャップの色彩に様々なバリエーションが与えられるよう蓋体とベースとを別体にするもの等が提案されている（例えば、特許文献１参照。）。
【特許文献１】実公平６−３８０４号公報
【０００３】
しかしながら、こうしたヒンジキャップにあっては、ヒンジを肉厚とした場合、ヒンジの折れ現象から亀裂が発生し、ヒンジの破断に至ることがあることから、有効なヒンジ効果を得るためヒンジを一定以下の薄肉としているが、逆にこれがため、機械的強度が劣る結果となり、注出口を開閉するため蓋体を揺動させるに際し、蓋体に対してその揺動方向と異なる向きの力が加わると、その力が折り曲げのための薄肉部を有するヒンジに集中するため、蓋体の開閉頻度が多くなるにつれ変形疲労等によってヒンジの強度が低下することになり、このため、ヒンジが伸びて動作不良を起こしたり、最悪の場合、破断する等の問題があった。加えて、開閉操作中における横方向（蓋体の回転方向）、捩れ方向からの不正な開閉操作力がヒンジに作用し、これに伴いヒンジが破断する場合もあり、ヒンジキャップとしての機能を阻害される問題も有していた。
【発明の開示】
【発明が解決しようとする課題】
【０００４】
本発明が解決しようとする課題は、ベースに設けた容器に通じる注出口を開閉するために蓋体を揺動させるに際してヒンジに集中する力を効果的に分散させることにより、耐久性に優れたヒンジキャップを提供することにある。
【課題を解決するための手段】
【０００５】
本発明は、天面壁に注出口を有して容器の口部に取り付けられるベースと、このベースの天面壁に合わさってその注出口を閉じる蓋体と、前記ベースに繋がる連結端と前記蓋体に繋がる連結端とを有し前記蓋体を揺動可能に保持するヒンジとを備えたキャップであって、前記ヒンジの連結端の少なくとも一方と前記ヒンジとの相互間に、前記蓋体に回転を引き起こす力、前記蓋体に捩じれを引き起こす力及び前記蓋体にその揺動範囲を超える揺動を引き起こす力の少なくとも１つの力に追随して微動し前記ヒンジに作用する力を吸収・緩和する係合基部を設けたことを特徴とするものである。
【０００６】
本発明において、前記係合基部は、前記蓋体に前記ベースに対する回転を引き起こす力に追随して前記ベース又は前記上蓋を摺動する摺動面を有している。この場合、特に、前記ベース及び前記蓋体の合せ面の少なくとも一方に、この合せ面の隅部を円弧形に切り欠いて注出口側に凹んだ凹面を形成する段差を設け、前記摺動面は、前記段差の上端に摺動可能に当接する底面と、前記凹面の円弧形に合わさり前記蓋体に回転を引き起こす力に追随して当該凹面を僅かに摺動する凸面とにすることが好ましい。
【０００７】
また、本発明において、前記係合基部は、該ヒンジの折れ曲げ線に沿って延在し前記蓋体に捩じれを引き起こす力に追随して僅かに変形する横溝を有している。
【０００８】
更に、本発明において、前記係合基部は、前記ベース又は前記蓋体に載せ置かれる基部本体と、この基部本体を前記ベース又は前記蓋体に弾性支持し該蓋体にその揺動範囲を超える揺動を引き起こす力及び／又は蓋体に回転を引き起こす力に追随して僅かに変形する脚部と有している。
【発明の効果】
【０００９】
本発明によれば、注出口を開閉するために蓋体を揺動させるに際し、この蓋体に回転を引き起こす力が加わってその力がヒンジに作用する場合、このヒンジに作用する力は、ヒンジとその連結端との相互間に設けた係合基部が前記蓋体の回転に追随してその摺動面にて前記ベース又は前記蓋体に対して僅かに摺動することにより吸収されるため、当該ヒンジに集中する応力は分散される。従って、注出口を開閉するために蓋体を揺動させるに際し、この蓋体に回転を引き起こす力が加わっても、ヒンジでの伸びや破断などが生じにくく、キャップの耐久性を向上させることができる。この場合、特に、ベース及び蓋体の合せ面の少なくとも一方に、この合せ面の隅部を円弧形に切り欠いて注出口側に凹んだ凹面を形成する段差を設け、前記摺動面を、前記段差の上端に摺動可能に当接する底面と、前記凹面の円弧形に合わさり前記蓋体に回転を引き起こす力に追随して当該凹面を摺動する凸面とにすれば、ヒンジが邪魔になることなくキャップ全体のコンパクト化を図ることができる。
【００１０】
また、本発明によれば、注出口を開閉するために蓋体を揺動させるに際し、この蓋体に捩じれを引き起こす力が加わってその力がヒンジに作用する場合、このヒンジに作用する力は、ヒンジとその連結端との相互間に設けた係合基部の横溝が蓋体の捩じれに追随して僅かに変形することにより吸収されるため、当該ヒンジに集中する応力は分散される。従って、蓋体に捩じれを引き起こす力が加わっても、ヒンジでの伸びや破断などが生じにくく、キャップの耐久性を向上させることができる。
【００１１】
更に、本発明によれば、注出口を開閉するために蓋体を揺動させるに際し、この蓋体にその揺動範囲を超える揺動を引き起こす力及び／又は蓋体に回転を引き起こす力が加わってその力がヒンジに作用する場合、このヒンジに作用する力は、ヒンジとその連結端との相互間に設けた係合基部の基部本体を支持する脚部が該蓋体の揺動範囲を超える揺動に追随して僅かに弾性変形することにより吸収されるため、当該ヒンジに集中する応力は分散される。従って、蓋体に揺動範囲を超える揺動を引き起こす力が加わっても、ヒンジでの伸びや破断などが生じにくく、キャップの耐久性を向上させることができる。
【発明を実施するための最良の形態】
【００１２】
図１〜３はそれぞれ、本発明の一形態であるヒンジキャップ100を示す正面図、そのＡ−Ａ断面図及び背面図である。
【００１３】
図１〜３において、符号110は、図示せぬ容器の口部に取り付けられるベースであって、容器の口部にねじ止めされる内筒111と、この内筒111と同心二重配置された外筒112とを容器に通じる注出口110aを有する天面壁113にて繋いでいる。また、天面壁113の蓋体120との合せ面113fには、この合せ面113fの隅部を円弧形に切り欠いて段差114を設ける。この段差114は、注出口110a側に向かってほぼ半円筒形に凹んだ凹面115と、この凹面115と外筒112とに繋がる底面116とを有し、この底面116には、貫通孔116aが設けられている。
【００１４】
符号120は、ベース110の天面壁113に合わさって注出口110aを閉じる蓋体である。この蓋体120は、薄肉の折り曲げ線Ｌを基点に揺動するヒンジ片121aと、このヒンジ片121の揺動に付勢力を与える弾性片121bよりなるヒンジ121を一体に有する。ヒンジ121は、ベース110に繋がる連結端として、ベース110に設けた貫通孔116aに係合固定されるフック122を有し、ベース110に対して蓋体120を揺動可能に保持する。
【００１５】
本形態において、ヒンジ121とそれをベース110に連結するフック122の相互間には、蓋体120に回転を引き起こす力Ｆ1( 図１参照 )、蓋体120に捩じれを引き起こす力( 図２参照 )及び蓋体120にその揺動範囲を超える揺動を引き起こす力Ｆ3( 図２参照 )の少なくとも１つの力に追随して微動する係合基部１が設けられている。
【００１６】
係合基部１は、ベース外筒112の上端112eに載せ置かれる基部本体２を備え、この基部本体２は、ベース外筒上端112eに摺動可能に当接する底面３と、凹面115の円弧形に合わさり蓋体120に回転を引き起こす力Ｆ1に追随して当該凹面115を摺動する半円筒形の凸面４とを有する。これにより、係合基部１は、力Ｆ1に追随してヒンジ121と共にフック122周りにベース110を微動することができる。
【００１７】
かかる構成によれば、注出口110aを開閉するために蓋体120を揺動させるに際し、この蓋体120に回転を引き起こす力Ｆ1が加わってその力Ｆ1がヒンジに作用する場合、このヒンジ121に作用する力は、ヒンジ121とその連結端たるフック122との相互間に設けた係合基部１が蓋体120の回転に追随してその摺動面３,４にてベース110に対して僅かに摺動することにより吸収されるため、当該ヒンジ121に集中する応力は分散される。従って、注出口110aを開閉するために蓋体120を揺動させるに際し、この蓋体120に回転を引き起こす力Ｆ1が加わっても、ヒンジ121での伸びや破断などが生じにくく、ヒンジキャップ100の耐久性を向上させることができる。
【００１８】
なお、本発明において、摺動面３,４は少なくともいずれか１つであればよいが、本形態の如く、ベース天面壁113の隅部を円弧形に切り欠いて注出口110a側に凹んだ凹面115を形成する段差114を設け、本発明に係る摺動面を、段差114の上端112eに摺動可能に当接する底面３と、凹面115の円弧形に合わさり蓋体120に回転を引き起こす力Ｆ1に追随して当該凹面115を摺動する凸面４とにすれば、ヒンジ121が邪魔になることなくキャップ全体のコンパクト化を図ることができる。
【００１９】
また、基部本体２は、ヒンジ121の折り曲げ線Ｌを沿って延在し基部本体２の厚みに比べて薄肉な横溝５を有する。かかる構成によれば、注出口110aを開閉するために蓋体120を揺動させるに際し、この蓋体120に捩じれを引き起こす力Ｆ2が加わってその力Ｆ2がヒンジ121に作用する場合、このヒンジ121に作用する力は、ヒンジ121とその連結端たるフック122との相互間に設けた係合基部１の横溝５が蓋体120の捩じれに追随して僅かに変形することにより吸収されるため、当該ヒンジ121に集中する応力は分散される。このため、蓋体120に捩じれを引き起こす力Ｆ2が加わっても、ヒンジ121での伸びや破断などが生じにくく、ヒンジキャップ100の耐久性を向上させることができる。
【００２０】
更に、本形態において、係合基部１は、基部本体２とヒンジの連結端たるフック122との間に当該基部本体２を弾性支持する脚部６を有する。この脚部６は、弾性変形を容易とするように縦長に形成されている。（図示の形態では、内筒111の高さにほぼ等しい長さとしている。）かかる構成によれば、注出口110aを開閉するために蓋体120を揺動させるに際し、この蓋体120にその揺動範囲を超える揺動を引き起こす力Ｆ3及び／又は蓋体120に回転を引き起こす力Ｆ1が加わってその力Ｆ3及び／又はＦ1がヒンジ121に作用する場合、このヒンジ121に作用する力は、ヒンジ121とその連結端たるフック122との相互間に設けた係合基部１の基部本体２を支持する脚部６が該蓋体120の揺動範囲を超える揺動に追随して僅かに弾性変形すること及び／又は該蓋体120に回転を引き起こす力Ｆ1に追随して脚部６が捩れ方向に弾性変形することにより吸収されるため、当該ヒンジ121に集中する応力は分散される。従って、注出口110aを開閉するために蓋体120を揺動させるに際し、この蓋体120に揺動範囲を超える揺動を引き起こす力Ｆ3及び／又はＦ1が加わっても、ヒンジ121での伸びや破断などが生じにくく、ヒンジキャップ100の耐久性を向上させることができる。
【００２１】
上述したところは、本発明の好適な形態を示したに過ぎず、当業者によれば、特許請求の範囲において様々な変更を加えることができる。例えば、本形態においては、組み付け易さ等の利点からヒンジとベースとの連結はフック122による係合固定としたが、ヒンジとベースとを固定できる手段であれば、接着などの既存の固定手段を用いることができる。また、本形態において係合基部は、ヒンジとベースとの相互間にのみ設けたが、ヒンジと蓋体との相互間のみ、又は、ベースと蓋体との両方に設けてもよい。更に、本発明に係るヒンジも、ヒンジ121の形態に限らず、既知のミラーヒンジ他スナップヒンジ以外の構成にも採用可能であり、一般にヒンジと呼ばれるものであればよい。
【図面の簡単な説明】
【００２２】
【図１】本発明の一形態であるヒンジキャップ100を示す正面図である。
【図２】図２のＡ−Ａ断面図である。
【図３】同形態の背面図である。
【符号の説明】
【００２３】
１    係合基部
２    基部本体
３    底面（摺動面）
４    凸面（摺動面）
５    横溝
６    脚部
100  ヒンジキャップ
110  ベース
111  内筒
112  外筒
112e  外筒上端
113  天面壁
114  段差
115  凹面
120  蓋体
121  ヒンジ
121a  ヒンジ片
121b  弾性片
122  フック
【図１】
2006096364.tif 000003
【図２】
2006096364.tif 000004
【図３】
2006096364.tif 000005